(57)【要約】【課題】対物レンズの光学調整補正環を、光軸から離れた遮蔽物の外から観察者が確認しながら手動で操作できるようにするとともに、観察時には顕微鏡部が完全に遮蔽されるようにした顕微鏡装置を提供すること。【解決手段】顕微鏡部１が遮蔽物３で覆われた箱型の顕微鏡であって、複数の対物レンズを搭載した転換部を有している顕微鏡において、光軸上にある対物レンズの光学調整補正環を、光軸から離れた遮蔽物の外から操作するための、遠隔駆動機構２を備えている。【選択図】  図１
2010243838.tif 000002
【特許請求の範囲】
【請求項１】
顕微鏡部が遮蔽物で覆われた箱型の顕微鏡であって、複数の対物レンズを搭載する転換部を有している顕微鏡において、
光軸上にある前記対物レンズの光学調整補正環を、光軸から離れた前記遮蔽物の外から手動で操作するための、遠隔駆動機構を備えていることを特徴とする顕微鏡装置。
【請求項２】
前記遮蔽物に開閉可能な扉を設け、前記扉を開くと前記遠隔駆動機構が操作可能となり、前記扉を閉じたときには前記遠隔駆動機構は操作不可能となることを特徴とする請求項１に記載の顕微鏡装置。
【請求項３】
前記遠隔駆動機構は、前記遮蔽物の外から手動により直接操作する操作手段と、前記補正環を回転させる回転手段と、前記操作手段の動きを前記回転手段に伝達する伝達手段により構成されていることを特徴とする請求項２に記載の顕微鏡装置。
【請求項４】
前記遠隔駆動機構の前記回転手段は、前記扉を開くと前記回転手段が前記補正環と接触し前記操作手段による操作が前記補正環に伝達可能となり、前記扉を閉じたときには前記回転手段は前記補正環から離れ前記操作手段による操作が前記補正環に伝達されないように構成されていることを特徴とする請求項３に記載の顕微鏡装置。
【発明の詳細な説明】
【技術分野】
【０００１】
本発明は、顕微鏡部が遮蔽されているとともに光軸上にある対物レンズの光学調整補正環を有している顕微鏡装置に関するものである。
【背景技術】
【０００２】
従来、顕微鏡観察における試料（標本）容器の厚さやカバー部材の厚さのバラツキにより生ずる収差などを補正する目的で内部のレンズ位置を調整する補正環機構を有する顕微鏡の対物レンズ（補正環付対物レンズ）が知られている。そして、補正環には補正目盛りがついておりこの目盛りによりおおよその調整はできるようになっている。ただし、この目盛りだけではなかなか完全な調整はできないので、結局肉眼で画像を観察しながら手動で補正環を回して最適な位置を探す必要がある。
【０００３】
しかし、この補正環を直接手で動かしたのでは操作上無理な姿勢を強いられたり、あるいは微調整をしにくかったりする問題点がある。また、蛍光観察のように外の光を遮断する必要がある場合は、顕微鏡を遮蔽する必要がある。
【０００４】
ところで、補正環を直接手で回転させないものとして例えば、特許文献１には対物レンズの補正環に当接可能な操作手段を設け、これを対物レンズ側面に対応させて設けた開口部の外部から操作できるようにしたものが記載されている。
【０００５】
また、特許文献２には補正環付対物レンズの補正環をモータにより自動的に駆動するようにしたものが記載されている。
【先行技術文献】
【特許文献】
【０００６】
【特許文献１】特開２００５−１７４５４号公報
【特許文献２】特開２００８−２２４９９２号公報
【発明の概要】
【発明が解決しようとする課題】
【０００７】
しかし、特許文献１に示されるものは、開口部は常時開口しているため対物レンズは完全に遮蔽物で覆われた状態とはならないので、完全に遮蔽した状態での観察を行うことはできなかった。
【０００８】
また、特許文献２に示されるものは、顕微鏡部全体を遮蔽することが可能であるとともに微調整も容易に行うことができるので本格的な顕微鏡装置としては適している。しかし、モータを使用することにより装置全体が大型となり、また手動により直接動かす調整はできないので簡易な顕微鏡装置にはあまり向いていない。
【０００９】
本発明は、上記従来の課題に鑑みてなされたものであり、対物レンズの光学調整補正環を、光軸から離れた遮蔽物の外から観察者が画像を確認しながら手動で操作できるようにするとともに、観察時には顕微鏡部が完全に遮蔽されるようにした顕微鏡装置を提供することを目的としている。
【課題を解決するための手段】
【００１０】
上記の目的を達成するために、本発明による顕微鏡装置は、顕微鏡部が遮蔽物で覆われた箱型の顕微鏡であって、複数の対物レンズを搭載した転換部を有している顕微鏡において、光軸上にある前記対物レンズの光学調整補正環を、光軸から離れた前記遮蔽物の外から操作するための、遠隔駆動機構を備えていることを特徴としている。
【００１１】
また、本発明の顕微鏡装置においては、前記遮蔽物に開閉可能な扉を設け、前記扉を開くと前記遠隔駆動機構が操作可能となり、前記扉を閉じたときには前記遠隔駆動機構は操作不可能となることが好ましい。
【００１２】
また、本発明の顕微鏡装置においては、前記遠隔駆動機構は、前記遮蔽物の外から手動により直接操作する操作手段と、補正環を回転させる回転手段と、前記操作手段の動きを前記回転手段に伝達する伝達手段により構成されていることが好ましい。
【００１３】
また、本発明の顕微鏡装置においては、前記遠隔駆動機構の前記回転手段は、前記扉を開くと前記回転手段が前記補正環と接触し前記操作手段による操作が前記補正環に伝達可能となり、前記扉を閉じたときには前記回転手段は前記補正環から離れ前記操作手段による操作が前記補正環に伝達されないように構成されていることが好ましい。
【発明の効果】
【００１４】
本発明の顕微鏡装置によれば、対物レンズの光学調整補正環を、光軸から離れた遮蔽物の外から観察者が画像を確認しながら手動操作できるとともに、観察時には顕微鏡部が完全に遮蔽されるようにした顕微鏡装置を提供することができる。
【図面の簡単な説明】
【００１５】
【図１】本発明に係る実施例１の顕微鏡装置の概略を示す正面図である。
【図２】図１に示す実施例１の顕微鏡装置の概略を示す平面図である。
【図３】図１に示す実施例１の顕微鏡装置の遠隔駆動機構の説明図である。
【図４】本発明に係る実施例２の顕微鏡装置の遠隔駆動機構の説明図である。
【図５】本発明に係る実施例３の顕微鏡装置の遠隔駆動機構の説明図である。
【図６】本発明に係る実施例４の顕微鏡装置の遠隔駆動機構の説明図である。
【図７】図６に示す実施例４の顕微鏡装置の扉連動機構の説明図である。
【発明を実施するための形態】
【００１６】
実施形態の説明に先立ち、本発明の概略及び作用効果について説明する。
本発明の顕微鏡装置は、顕微鏡部が遮蔽物で覆われた箱型の顕微鏡であって、複数の対物レンズを搭載する転換部を有している顕微鏡において、光軸上にある対物レンズの光学調整補正環を、光軸から離れた遮蔽物の外から操作するための、遠隔駆動機構を備えている。観察者は遮蔽物の外から遠隔駆動機構を操作することにより自分で画像を確認しながら光学調整補正環の調整ができる。
このようにすることにより、顕微鏡部が遮蔽物で覆われていながら光学調整補正環を遮蔽物の外から手動で調整操作することが可能となる。
【００１７】
また、本発明の顕微鏡装置においては好ましくは、遮蔽物に開閉可能な扉を設け、扉を開くと遠隔駆動機構が操作可能となり、扉を閉じたときには遠隔駆動機構は操作不可能となる。扉が開いているときには光学調整補正環の操作が可能となるとともに、扉を閉じて観察を行うときには光学調整補正環は操作できないようになる。
このようにすることにより、扉の開閉と光学調整補正環により調整できる時期を限定できる。
【００１８】
また、本発明の顕微鏡装置においては好ましくは、遠隔駆動機構は、遮蔽物の外から手動により直接操作する操作手段と、補正環を回転させる回転手段と、操作手段の動きを回転手段に伝達する伝達手段により構成されている。操作手段は観察者が遮蔽物の外で直接操作するものであり、回転手段は補正環と接触して補正環を回転させる役割をするものである。また、伝達手段は観察者が操作した操作手段の動きを回転手段に伝達し回転手段を動かす役割をする。
このようにすることにより、観察者が画像を観察しながら遮蔽物の外から補正環を調整することが可能となる。
【００１９】
また、本発明の顕微鏡装置においては好ましくは、前記遠隔駆動機構の前記回転手段は、前記扉を開くと前記回転手段が前記補正環と接触し前記操作手段による操作が前記補正環に伝達可能となり、前記扉を閉じたときには前記回転手段は前記補正環から離れ前記操作手段による操作が前記補正環に伝達されないように構成されている。扉の開閉と補正環を動かすことになる回転手段の位置を連動させる。
このような扉連動機構を設けることにより、扉を閉じて観察する際に、不用意に補正環が動いてしまうことを防止できる。
【実施例１】
【００２０】
次に、本発明の顕微鏡装置の一実施例を図１〜図３に基づいて説明する。なお、本実施例では顕微鏡装置として倒立型顕微鏡を例として示したが、本発明を適用できる顕微鏡装置は倒立型顕微鏡に限るものではなく、例えば正立型顕微鏡でもよい。
【００２１】
本発明の顕微鏡装置は、顕微鏡部１と遠隔駆動機構２より構成されており、これらは箱型の遮蔽物３で覆われている。顕微鏡部１の対物レンズの転換部となるレボルバ４には複数の補正環付対物レンズ５が装着される。補正環付対物レンズ５の補正環６の外周には抵抗を高めるためにローレット加工などがなされている。また、レボルバ４の光軸上にある補正環付対物レンズ５の上方には試料容器７がＸＹステージ８で移動可能に設けられている。顕微鏡部１の構成は基本的には通常の倒立型顕微鏡と同じである。
【００２２】
遠隔駆動機構２は、遮蔽物３の外から手動により直接操作するための操作手段となる操作用ローラ９と、補正環６を回転させるための回転手段となるゴムローラ１０と、操作手段の動きを回転手段に伝達するための伝達手段となる操作用ローラ９と同軸で回転する駆動プーリ１１と、ゴムローラ１０と同軸で回転する従動プーリ１２と、駆動プーリ１１の回転を従動プーリ１２に伝達する伝動ベルト１３により構成されている。
【００２３】
そして、これらの遠隔駆動機構２は可動ベース１４の上に載せられており、可動ベース１４は可動ベース１４に形成された長孔１５がピン１６に沿って摺動することにより、図１において紙面に対し水平に左右方向に移動可能となっている。また、スプリング１７により可動ベース１４はレボルバ４に近付く方向に付勢されており、スプリング１７の力により補正環付対物レンズ５の補正環６にゴムローラ１０は接触することとなる。
【００２４】
また、遮蔽物３には遠隔駆動機構２と可動ベース１４が位置する箇所に開閉可能な扉１８が設けられている。そして、扉１８を開くと遠隔隔駆動機構２の操作用ローラ９が手動で動かせるようになっている。
【００２５】
扉１８にはヒンジ１９を挟んで反対側に扉１８の動きと連動して動く作動アーム２０が設けられ、作動アーム２０にはカム２１が取り付けられている。また、可動ベース１４には略Ｚ型の摺動部材２２が取り付けられている。そして、作動アーム２０のカム２１が摺動部材２２の摺動部２３に対して摺動するようになっている。なお、作動アーム２０の形状は図示したものに限定されるものではなく、作動アーム２０のカム２１が摺動部材２２の摺動部２３に対して摺動できればよい。
【００２６】
すなわち、扉１８を閉じたときには作動アーム２０のカム２１は摺動部２３を扉１８側に近づけるように移動し、その結果摺動部材２２が取り付けられている可動ベース１４はスプリング１７に抗して図３に実線で示すように扉１８側に移動させられ、ゴムローラ１０は図２に実線で示すように補正環付対物レンズ５の補正環６から離れる。
【００２７】
一方、扉１８を開くと作動アーム２０のカム２１は摺動部２３を扉１８から遠ざけるように回動し、その結果摺動部材２２が取り付けられている可動ベース１４はスプリング１７により図３に二点鎖線で示すように扉１８から遠ざかる方向に移動させられ、その結果ゴムローラ１０は図２に二点鎖線で示すように補正環付対物レンズ５の補正環６と接触することになる。
【００２８】
なお、図示した例では、遮蔽物３を操作用ローラ９が面している箇所だけ凹ませることにより操作用ローラ９が遮蔽物３から露出しているようにしてあるが、扉１８を開いたときに操作用ローラ９が遮蔽物ら外部に露出して手動で操作できるようになればどのような形状であってもよい。そして、扉１８を閉じたときに扉１８が操作用ローラ９と接触しないようになっていればよい。
【００２９】
次に、上記した本発明の顕微鏡装置での補正環の調整方法について説明する。
先ず扉１８が閉じた状態では、上記したように摺動部材２２はカム２１により扉１８に近付く方向に引っ張られている。その結果、可動ベース１４も扉１８側に引っ張られるのでゴムローラ１０は補正環付対物レンズ５の補正環６とは接触しない状態となっている。したがって、この状態では何かの拍子でゴムローラ１０が回転してもこの動きは補正環付対物レンズ５の補正環６には伝達されない。
【００３０】
次に、扉１８を開くと作動アーム２０のカム２１は摺動部２３を扉１８から遠ざけるように回動し、その結果摺動部材２２が取り付けられている可動ベース１４はスプリング１７により扉１８から遠ざかる方向に移動させられ、ゴムローラ１０は補正環付対物レンズ５の補正環６と接触することになる。この状態において操作用ローラ９は遮蔽物３よりも外に露出しているので、この操作用ローラ９を手で回転させるとその動きが伝動ベルト１３により伝達されてゴムローラ１０が回転する。ゴムローラ１０が回転すると補正環付対物レンズ５の補正環６も回転し調整がなされることになる。
【００３１】
調整が完了したら、扉１８を閉じる。扉１８を閉じると顕微鏡部１が遮蔽されて外の光が入らなくなり観察が行えるようになるとともに、可動ベース１４が移動しゴムローラ１０が補正環付対物レンズ５の補正環６から離れるので、補正環６が不用意に動いてしまうことがない。
【実施例２】
【００３２】
次に、本発明の顕微鏡装置の実施例１の遠隔駆動機構２の変形例を図４に基づいて説明する。顕微鏡部１は上記実施例１と同じであるので、遠隔駆動機構２についてのみ説明する。
【００３３】
遠隔駆動機構２は、遮蔽物３の外から手動により直接操作するための操作手段となる操作用ローラ９、伝達手段となる操作用ローラ９と同軸で回転する駆動プーリ１１と、伝動ベルト１３により回転される従動プーリ１２と、従動プーリ１２と同軸で回転する第２駆動プーリ２４、及び回転手段となる第２伝動ベルト２５により駆動される第１接触プーリ２６と第２接触プーリ２７とテンションローラ２８により構成されている。
【００３４】
そして、これらの遠隔駆動機構２のうち伝達手段となる伝動ベルト１３が配設されているベース１４’部分は動かない。一方、回転手段となる第２伝動ベルトと第１接触プーリ２６と第２接触プーリ２７とテンションローラ２８が配設されているスイングアーム３０部分は、従動プーリ１２と第２駆動プーリ２４の回転軸２９を軸として回動し、第１接触プーリ２６と第２接触プーリ２７の間で第２伝動ベルト２５は、補正環付対物レンズ５の補正環６と接触するようになっている。
【００３５】
また、遮蔽物３には遠隔駆動機構２と可動ベース１４が位置する箇所に開閉可能な扉１８が設けられている。そして、扉１８を開くと遠隔隔駆動機構２の操作用ローラ９が手動で動かせるようになっている。
【００３６】
扉１８にはヒンジ１９を挟んで反対側に扉１８の動きと連動して動く作動アーム２０が設けられている。作動アーム２０はリンク３１を介してスイングアーム３０に連結されており、扉１８の開閉によりスイングアーム３０が回転軸２９を軸として回動するようになっている。
【００３７】
すなわち、扉１８を閉じたときには作動アーム２０はリンク３１を扉１８側に近づけるように移動し、その結果スイングアーム３０は図４において回転軸２９を軸として反時計方向に回動し、第２伝動ベルト２５は補正環付対物レンズ５の補正環６から離れる。
【００３８】
一方、扉１８を開くと作動アーム２０はリンク３１を扉１８から遠ざけるように回動し、その結果スイングアーム３０は図４において回転軸２９を軸として時計方向に回動し、第２伝動ベルト２５は補正環付対物レンズ５の補正環６と接触することになる。
【００３９】
本実施例では操作用ローラ９は移動しないので、扉１８を開いたときに操作用ローラ９を手動で操作でき、扉１８を閉じたときに扉１８が操作用ローラ９と接触しないようになっていれば遮蔽物３と扉１８はどのような形状でもよい。
【００４０】
次に、上記した本発明の顕微鏡装置での補正環の調整方法について説明する。
先ず扉１８が閉じた状態では、上記したようにリンク３１が作動アーム２０により扉１８に近付く方向に移動させられている。その結果、スイングアーム３０は回転軸２９を軸として反時計方向に回動するので第２伝動ベルト２５は補正環付対物レンズ５の補正環６から離れる。したがって、この状態では何かの拍子で第２伝動ベルト２５が回転してもこの動きは補正環付対物レンズ５の補正環６には伝達されない。
【００４１】
次に、扉１８を開くと作動アーム２０はリンク３１を扉１８から遠ざけるように回動し、その結果スイングアーム３０は回転軸２９を軸として時計方向に回動するので第２伝動ベルト２５は補正環付対物レンズ５の補正環６と接触することになる。扉１８を開くと操作用ローラ９は操作可能となるので、この操作用ローラ９を手で回転させるとその動きが伝動ベルト１３により伝達されて第２伝動ベルト２５が回転する。第２伝動ベルト２５が回転すると補正環付対物レンズ５の補正環６が回転し調整がなされることになる。
【００４２】
調整が完了したら、扉１８を閉じる。扉１８を閉じると顕微鏡部１が遮蔽されて外の光が入らなくなり観察が行えるようになるとともに、スイングアーム３０は反時計方向に回動して第２伝動ベルト２５は補正環付対物レンズ５の補正環６から離れるので、補正環６が不用意に動いてしまうことがない。
【実施例３】
【００４３】
次に、本発明の顕微鏡装置の他の実施例を図５に基づいて説明する。顕微鏡部１は上記実施例１と同じであるので、遠隔駆動機構２についてのみ説明する。
【００４４】
遠隔駆動機構２は、軸３２により左右に回動し、先端には弾性体３３が配設されているとともに、手前側は遮蔽物３よりも外に飛び出し手動で動かすことができるノブ３４が設けられている操作レバー３５により構成されている。弾性体３３としては例えばゴムなどが使用できるが、多少の摩擦抵抗を有しているものであればそれほどの弾力性を有していなくてもよい。また、弾性体３３は軸３２からの回転半径に合わした扇形とする。いずれにしても、弾性体３３の回転動作を補正環付対物レンズ５の補正環６に伝達できればよい。
【００４５】
また、軸３２が配設されている可動ベース１４には長孔１５が形成されており、ピン１６に沿って図５において紙面に対し水平に上下方向に移動可能となっている。また、スプリング１７により可動ベース１４はレボルバ４に近付く方向に付勢されており、補正環付対物レンズ５の補正環６に操作レバー３５の弾性体３３が接触することとなる。この状態で、操作レバー３５のノブ３４を図５において左右方向に動かすと、操作レバー３５は軸３２を軸として回動し、弾性体３３が補正環付対物レンズ５の補正環６を回転させることになる。
【００４６】
また、遮蔽物３には操作レバー３５のノブ３４が位置する箇所に開閉可能な扉１８が設けられている。そして、扉１８を開くと操作レバー３５のノブ３４が手動で動かせるようになっている。
【００４７】
扉１８にはヒンジ１９を挟んで反対側に扉の動き１８と連動して動く作動アーム２０が設けられ、作動アーム２０にはカム２１が取り付けられている。また、操作レバー３５には略Ｚ型の摺動部材２２が取り付けられている。そして、作動アーム２０のカム２１が摺動部材２２の摺動部２３に対して摺動するようになっている。
【００４８】
すなわち、扉１８を閉じたときには作動アーム２０のカム２１は摺動部２３を扉１８側に近づけるように移動し、その結果摺動部材２２が取り付けられている操作レバー３５とそれを取り付けている可動ベース１４はスプリング１７に抗して図５に実線で示すように扉１８側に移動させられ、操作レバー３５の弾性体３３は図に実線で示すように補正環付対物レンズ５の補正環６から離れる。
【００４９】
一方、扉１８を開くと作動アーム２０のカム２１は摺動部２３を扉１８から遠ざけるように回動し、その結果摺動部材２２が取り付けられている操作レバー３５とそれを取り付けている可動ベース１４はスプリング１７により図５に二点鎖線で示すように扉１８から遠ざかる方向に移動させられ、その結果操作レバー３５の弾性体３３は図に二点鎖線で示すように補正環付対物レンズ５の補正環６と接触することになる。
【００５０】
なお、図示した例では、遮蔽物３を操作レバー３５のノブ３４が面している箇所を凹ませることにより操作レバー３５のノブ３４が遮蔽物３から露出しているようにしてあるが、扉１８を開いたときに操作レバー３５のノブ３４が遮蔽物の外部に露出して手動で操作できるようになればどのような形状であってもよい。そして、扉１８を閉じたときに扉１８が操作レバー３５のノブ３４と接触しないようになっていればよい。
【００５１】
次に、上記した本発明の顕微鏡装置での補正環の調整方法について説明する。
先ず扉１８が閉じた状態では、上記したように摺動部材２２はカム２１により扉１８に近付く方向に引っ張られている。その結果、操作レバー３５も扉１８側に引っ張られるので操作レバー３５の弾性体３３は補正環付対物レンズ５の補正環６とは接触しない状態となっている。したがって、この状態では何かの拍子で弾性体３３が動いてもこの動きは補正環付対物レンズ５の補正環６には伝達されない。
【００５２】
次に、扉１８を開くと作動アーム２０のカム２１は摺動部２３を扉１８から遠ざけるように回動し、その結果摺動部材２２が取り付けられている操作レバー３５は可動ベース１４とともにスプリング１７により扉１８から遠ざかる方向に移動させられ、操作レバー３５の弾性体３３は補正環付対物レンズ５の補正環６と接触することになる。この状態において操作レバー３５のノブ３４は遮蔽物３よりも外に露出しているので、このノブ３４を手で左右に動かすと、軸３２を挟んで反対側に位置している弾性体３３も動く。弾性体３３が動くと補正環付対物レンズ５の補正環６も回転し調整がなされることになる。
【００５３】
調整が完了したら、扉１８を閉じる。扉１８を閉じると顕微鏡部１が遮蔽されて外の光が入らなくなり観察が行えるようになるとともに、操作レバー３５が移動して弾性体３３が補正環付対物レンズ５の補正環６から離れるので、補正環６が不用意に動いてしまうことがない。
【実施例４】
【００５４】
次に、本発明の顕微鏡装置の他の実施例を図６及び図７に基づいて説明する。顕微鏡部１は上記実施例１と同じであるので、遠隔駆動機構２についてのみ説明する。
【００５５】
遠隔駆動機構２は、遮蔽物３の外から手動により直接操作するための操作手段となる操作用ダイヤル３６と、補正環６を回転させる回転手段となる円盤状弾性体３７と、操作手段の動きを回転手段に伝達する伝達手段となる操作用ダイヤル３６と同軸で回転する駆動歯車３８と、駆動歯車３８と咬合し円盤状弾性体３７と同軸で回転する従動歯車３９とにより構成されている。
【００５６】
そして、これらの遠隔駆動機構２は可動ベース１４の上に載せられており、可動ベース１４は可動ベース１４に形成された長孔１５がピン１６に沿って図６において紙面に対し水平に上下方向に移動可能となっている。また、戻しバネ４０により可動ベース１４は補正環付対物レンズ５から遠ざかる方向に付勢されている。
【００５７】
また、遮蔽物３には遠隔駆動機構２と可動ベース１４が位置する箇所に開閉可能な扉１８が設けられている。そして、扉１８を開くと遠隔隔駆動機構２の操作用ダイヤル３６が手動で動かせるようになっている。
【００５８】
扉１８にはヒンジ１９を挟んで反対側に扉の動き１８と連動して動く作動アーム２０が設けられ、作動アーム２０にはカム２１が取り付けられている。また、可動ベース１４にはプッシュロッド４１が取り付けられている。そして、作動アーム２０のカム２１がプッシュロッド４１の斜めに形成されている当接面４２に対して摺動するようになっている。なお、図において作動アーム２０は扉１８をそのまま直線状に延長した例を示したが、カム２１がプッシュロッド４１の当接面４２と摺動可能であれば作動アーム２０はどのような形状でもよい。
【００５９】
すなわち、扉１８を閉じたときには作動アーム２０のカム２１はプッシュロッド４１の当接面４２とは接触せず、その結果可動ベース１４は戻しバネ４０により図６に実線で示すように扉１８側に移動させられ、円盤状弾性体３７は図６に実線で示すように補正環付対物レンズ５の補正環６から離れる。
【００６０】
一方、扉１８を開くと作動アーム２０のカム２１はプッシュロッド４１の当接面４２と当接し、プッシュロッド４１を図７の矢印で示すように押し上げる。その結果、可動ベース１４は戻しバネ４０の力に抗して図６に二点鎖線で示すように扉１８から遠ざかる方向に移動させられ、円盤状弾性体３９は図６に二点鎖線で示すように補正環付対物レンズ５の補正環６と接触することになる。
【００６１】
次に、上記した本発明の顕微鏡装置での補正環の調整方法について説明する。
先ず扉１８が閉じた状態では、上記したように可動ベース１４は戻しバネ４０により扉１８側に引っ張られるので円盤状弾性体３７は補正環付対物レンズ５の補正環６とは接触しない状態となっている。したがって、この状態では何かの拍子で円盤状弾性体３７が回転してもこの動きは補正環付対物レンズ５の補正環６には伝達されない。
【００６２】
次に、扉１８を開くと作動アーム２０のカム２１がプッシュロッド４１の当接面４２と接触しプッシュロッド４１を押し上げ、その結果可動ベース１４は戻しバネ４０の力に抗して扉１８から遠ざかる方向に移動させられ、円盤状弾性体３７は補正環付対物レンズ５の補正環６と接触することになる。この状態において操作用ダイヤル３６は遮蔽物３よりも外に露出しているので、この操作用ダイヤル３６を手で回転させるとその動きが駆動歯車３８と従動歯車３９により伝達されて円盤状弾性体３７が回転する。円盤状弾性体３７が回転すると補正環付対物レンズ５の補正環６が回転し調整がなされることになる。
【００６３】
調整が完了したら、扉１８を閉じる。扉１８を閉じると顕微鏡部１が遮蔽されて外の光が入らなくなり観察が行えるようになるとともに、可動ベース１４が戻しバネ４０の力により扉１側に移動し円盤状弾性体３７は補正環付対物レンズ５の補正環６から離れるので、補正環６が不用意に動いてしまうことがない。なお、４２は磁石であり遮蔽物３側に設けた鉄板などの吸着部に磁力でくっつくことにより、扉１８が不用意に開かないようになっている。
【産業上の利用可能性】
【００６４】
本発明の顕微鏡装置は、倒立型顕微鏡に限らず、顕微鏡部が遮蔽されているものであれば、補正環の調整機構が極めて簡単であるため各種の顕微鏡装置に適用可能である。
【符号の説明】
【００６５】
１    顕微鏡部
２    遠隔駆動機構
３    遮蔽物
４    レボルバ
５    補正環付対物レンズ
６    補正環
７    試料容器
８    ＸＹステージ
９    操作用ローラ
１０    ゴムローラ
１１    駆動プーリ
１２    従動プーリ
１３    伝動ベルト
１４    可動ベース
１４’  ベース
１５    長孔
１６    ピン
１７    スプリング
１８    扉
１９    ヒンジ
２０    作動アーム
２１    カム
２２    摺動部材
２３    摺動部
２４    第２駆動プーリ
２５    第２伝動ベルト
２６    第１接触プーリ
２７    第２接触プーリ
２８    テンションローラ
２９    回転軸
３０    スイングアーム
３１    リンク
３２    軸
３３    弾性体
３４    ノブ
３５    操作レバー
３６    操作用ダイヤル
３７    円盤状弾性体
３８    駆動歯車
３９    従動歯車
４０    戻しバネ
４１    プッシュロッド
４２    当接面
４３    磁石
【図１】
2010243838.tif 000003
【図２】
2010243838.tif 000004
【図３】
2010243838.tif 000005
【図４】
2010243838.tif 000006
【図５】
2010243838.tif 000007
【図６】
2010243838.tif 000008
【図７】
2010243838.tif 000009